(57)【要約】  外部機器で再生中の楽曲データに対して、特殊操作または効果付与処理を行う音響機器（４）は、楽曲データに対する特殊操作または効果付与を指令する操作制御信号群を記憶する操作制御信号群記憶部（５１１）と、操作制御信号群記憶部（５１１）に記憶された操作制御信号群を、操作者の操作によるタイミングで呼び出す操作制御信号群呼び出し部（５２１）と、操作制御信号群呼び出し部（５２１）により呼び出された操作制御信号群を外部に出力する操作制御信号群出力部（５２３）と、を備える。
2019167217.tif 000002
【特許請求の範囲】
【請求項１】
外部機器で再生中の楽曲データに対して、特殊操作または効果付与処理を行う音響機器であって、
前記楽曲データに対する特殊操作または効果付与を指令する操作制御信号群を記憶する操作制御信号群記憶部と、
前記操作制御信号群記憶部に記憶された操作制御信号群を、操作者の操作によるタイミングで呼び出す操作制御信号群呼び出し部と、
前記操作制御信号群呼び出し部により呼び出された操作制御信号群を外部に出力する操作制御信号群出力部と、を備えることを特徴とする音響機器。
【請求項２】
請求項１に記載の音響機器において、
前記楽曲データのテンポ情報を取得するテンポ情報取得部を備え、
前記操作制御信号群出力部は、前記テンポ情報取得部により取得された前記楽曲データのテンポ情報に基づいて、操作制御信号群を外部に出力することを特徴とする音響機器。
【請求項３】
請求項１または請求項２に記載の音響機器において、
前記操作制御信号群は、スクラッチ操作、エコー効果、回転操作子の高速回転操作、およびループ再生操作のうち、少なくともいずれかを備えていることを特徴とする音響機器。
【請求項４】
再生中の楽曲データに対して、特殊操作または効果付与処理を行う音響機器であって、
前記楽曲データの再生処理を行う再生処理部と、
前記楽曲データに対する特殊操作または効果付与を指令する操作制御信号群を記憶する操作制御信号群記憶部と、
前記操作制御信号群記憶部に記憶された操作制御信号群を、操作者の操作によるタイミングで呼び出す操作制御信号群呼び出し部と、
前記操作制御信号群呼び出し部により呼び出された操作制御信号群を外部に出力する操作制御信号群出力部と、を備えることを特徴とする音響機器。
【発明の詳細な説明】
【技術分野】
【０００１】
本発明は、音響機器に関する。
【背景技術】
【０００２】
従来、ＭＩＤＩ音源装置は、パーソナルコンピュータやシーケンサ等の機器に接続して使用するものが多く、外部への持ち出し等が困難であることが知られている。
このため、特許文献１には、パーソナルコンピュータにより作成された音データを記憶するメモリと、操作者の操作により記憶された音データをアナログオーディオ信号に変換して出力するメモリデータ再生手段を備えた音源装置が開示されている。【０００３】
ところで、ＤＪ機器の業界では、さまざまなＤＪパフォーマンスが演じられ、ＤＪパフォーマーのスクラッチ操作、エコー効果付与、ループ再生操作等の高度な技術を手近に演じて見たいという要望が強くなってきている。
【先行技術文献】
【特許文献】
【０００４】
【特許文献１】特開平８−３１４４５１号公報
【発明の概要】
【発明が解決しようとする課題】
【０００５】
しかしながら、前記特許文献１に記載の技術では、単にＭＩＤＩデータで作成された音データをその通りに再生するだけであり、ＤＪ業界が要望する高度な技術を演じることはできないという課題がある。【０００６】
本発明の目的は、高度なＤＪパフォーマンスを再現することのできる音響機器を提供することにある。
【課題を解決するための手段】
【０００７】
本発明の音響機器は、外部機器で再生中の楽曲データに対して、特殊操作または効果付与処理を行う音響機器であって、前記楽曲データに対する特殊操作または効果付与を指令する操作制御信号群を記憶する操作制御信号群記憶部と、前記操作制御信号群記憶部に記憶された操作制御信号群を、操作者の操作によるタイミングで呼び出す操作制御信号群呼び出し部と、前記操作制御信号群呼び出し部により呼び出された操作制御信号群を外部に出力する操作制御信号群出力部と、を備えていることを特徴とする。【０００８】
本発明の音響機器は、再生中の楽曲データに対して、特殊操作または効果付与処理を行う音響機器であって、前記楽曲データの再生処理を行う再生処理部と、前記楽曲データに対する特殊操作または効果付与を指令する操作制御信号群を記憶する操作制御信号群記憶部と、前記操作制御信号群記憶部に記憶された操作制御信号群を、操作者の操作によるタイミングで呼び出す操作制御信号群呼び出し部と、前記操作制御信号群呼び出し部により呼び出された操作制御信号群を外部に出力する操作制御信号群出力部と、を備えることを特徴とする。
【図面の簡単な説明】
【０００９】
【図１】本発明の第１の実施の形態に係る音響機器を含む楽曲データ再生制御システムを示す模式図。
【図２】前記実施の形態における音響機器の構成を示す機能ブロック図。
【図３】前記実施の作用を示すフローチャート。
【図４】本発明の第２の実施の形態における音響機器の構成を示す機能ブロック図。
【発明を実施するための形態】
【００１０】
以下、本発明の実施の形態を図面に基づいて説明する。
［１］楽曲データ再生制御システム１の全体構成
図１には、本発明の第１の実施の形態に係る楽曲データ再生制御システム１が示されている。楽曲データ再生制御システム１は、コンピュータ２と、このコンピュータ２にＵＳＢケーブル３を介して接続されるＤＪコントローラ４とを備える。
【００１１】
コンピュータ２は、ＣＰＵおよびハードディスク等の記憶装置を備え、記憶装置内に記憶されたＭＰ３等の楽曲データの再生処理を行う。楽曲データの再生は、ＣＰＵ上で実行される楽曲再生アプリケーションソフトウェアによって行われ、再生された楽曲データは、ＵＳＢケーブル３を介して、ＤＪコントローラ４に出力される。また、ＵＳＢケーブル３には、ＤＪコントローラ４のミキサー部４１、デッキ部４２Ｌ、４２Ｒを操作することにより生成された再生制御信号が出力され、コンピュータ２に入力される。コンピュータ２では、ＤＪコントローラ４から出力された再生制御信号に基づいて、再生中の楽曲データに種々の特殊操作処理を行ったり、音響効果付与処理を行う。
【００１２】
音響機器として例示されるＤＪコントローラ４は、中央に配置されるミキサー部４１と、ミキサー部４１の左右に配置されるデッキ部４２Ｌ、４２Ｒとを備える。なお、本発明にいう音響機器は、本実施の形態のように、音響再生制御装置だけでなく、楽曲データを再生する音響再生装置も含む概念である。
ミキサー部４１は、コンピュータ２から出力されたオーディオデータの切り替え、各チャンネルの音量調整、音響効果を付与する部分であり、第１チャンネル調整部４１１から第４チャンネル調整部４１４、およびマイク調整部４１５を備える。
【００１３】
ミキサー部４１の右下には、エフェクト部４１Ｅが設けられている。エフェクト部４１Ｅは、再生楽曲に対してエフェクトを付与するために設けられている。エフェクト部４１Ｅは、詳しくは後述するが、エフェクト選択スイッチ４１６、チャンネル選択スイッチ４１７、エフェクト量調整スイッチ４１８、エフェクト付与スイッチ４１９、およびビート変更スイッチ４２０を備える。
【００１４】
デッキ部４２Ｌ、４２Ｒは、操作者が操作をすることにより、コンピュータ２から出力された楽曲データに様々な効果を付与する指令を与える部分であり、ジョグダイヤル４２１、テンポスライダー４２２、パフォーマンスパッド４２３、ＣＵＥボタン４２４、プレイ／ポーズボタン４２５、ループボタン４２６、デッキセレクトボタン４２７、およびロードボタン４２８を備える。
【００１５】
回転操作子として例示されるジョグダイヤル４２１は、デッキ部４２Ｌ、４２Ｒの機器本体に回転可能に設けられ、操作者がジョグダイヤル４２１の回転操作をすることにより、再生される楽曲データの早送り再生指令や、逆転再生指令を行うことができる。
ジョグダイヤル４２１の中央には、液晶表示装置から構成される表示部４３が設けられている。表示部４３には、再生中の楽曲データのＢＰＭ（Beats Per Minute）値、経過時間、進行状況、拍位置、および再生中の楽曲データの進行に合わせたＬＰレコードの３３ＲＰＭによる回転状態が表示され、操作者に楽曲データの再生進行を視認させている。
【００１６】
テンポスライダー４２２は、再生される楽曲データのテンポを調整するスイッチである。パフォーマンスパッド４２３は、再生中の楽曲データへの効果を切り替えるボタンであり、操作者がパッドを押すと、再生中の楽曲データに対して、瞬間的にループ、キュー、キーシフト、サンプラー等の効果を付与することができる。
ＣＵＥボタン４２４は、再生する楽曲の頭出しを行うボタンである。
プレイ／ポーズボタン４２５は、楽曲データの再生開始、再生中の楽曲データのポーズを行うボタンである。ループボタン４２６は、再生中の楽曲データのループ再生を行うボタンである。
【００１７】
デッキセレクトボタン４２７は、ミキサー部４１の第１チャンネル調整部４１１から第４チャンネル調整部４１４のうち、どのチャンネルで再生中の楽曲データを操作するかを選択するボタンである。本実施の形態では、左側のデッキ部４２Ｌで第１チャンネル調整部４１１と第３チャンネル調整部４１３との切り替えを行い、右側のデッキ部４２Ｒで第２チャンネル調整部４１２と第４チャンネル調整部４１４との切り替えを行うことができる。
【００１８】
ロードボタン４２８は、コンピュータ２から楽曲データをロードするボタンであり、コンピュータ２上で再生する楽曲データが選択された後、このロードボタン４２８を押すと、楽曲データが第１チャンネル調整部４１１から第４チャンネル調整部４１４のいずれかのチャンネルにロードされる。
【００１９】
［２］ＤＪコントローラ４の機能ブロック構成
図２には、本実施の形態に係るＤＪコントローラ４の機能ブロック構成が示されている。ＤＪコントローラ４の各デッキ４２Ｌ、４２Ｒは、メモリ５１およびＣＰＵ（Central Processing Unit）５２を備え、ＤＪパフォーマーがデッキ部４２Ｌ、４２Ｒを操作したジョグダイヤル４２１、パフォーマンスパッド４２３、エフェクト部４１Ｅ等の操作に応じた特殊操作、効果付与を実行する。メモリ５１は、操作制御信号群記憶部５１１を備える。ＣＰＵ５２は、操作制御信号群呼び出し部５２１、テンポ情報取得部５２２、および操作制御信号群出力部５２３を備える。
【００２０】
操作制御信号群記憶部５１１には、特定の個人の奏法データを備えた操作制御信号群が記憶されている。操作制御信号群は、デッキ４２Ｌ、４２Ｒで行ったスクラッチ、ループ操作、エフェクト部４１Ｅの設定による効果付与等の奏法データ、および各奏法データを開始する時間情報から構成される。
具体的には、操作制御信号群記憶部５１１には、著名なＤＪが演奏したジョグダイヤル４２１をスクラッチ操作等の特殊操作、通過させる楽曲データの周波数領域を高域方向または低域方向に向かって絞っていくエコー効果、ループ再生操作等の楽曲データの一部の再生を繰り返す効果、ジョグダイヤル４２１を思い切り回転させた高速回転操作といったものが、記憶されている。
【００２１】
操作制御信号群呼び出し部５２１は、操作制御信号群記憶部５１１に記憶された操作制御信号群を、操作者の操作によるタイミングで呼び出す。具体的には、たとえば、パフォーマンスパッド４２３の８つのパッドにそれぞれ異なるＤＪ奏者の操作制御信号群を割り付けておき、操作者がいずれかのパフォーマンスパッド４２３を叩くと、操作制御信号群呼び出し部５２１は、そのＤＪ奏者の操作制御信号群を、メモリ５１からＣＰＵ５２上に呼び出してくる。操作制御信号群呼び出し部５２１は、呼び出した操作制御信号群を、操作制御信号群出力部５２３に出力する。
【００２２】
テンポ情報取得部５２２は、再生中の楽曲データのテンポ情報を取得する。具体的には、テンポ情報取得部５２２は、コンピュータ２内で実行される楽曲データ解析プログラムで解析されたＢＰＭ（Beat Per Minute）値、拍位置等からテンポ情報を取得する。なお、本実施の形態では、コンピュータ２内で実行されるプログラム上で解析されたテンポ情報を取得しているが、これに限られない。テンポ情報取得部５２２が、自身で入力された再生中の楽曲データを解析して、テンポ情報を取得してもよい。テンポ情報取得部５２２は、取得したテンポ情報を操作制御信号群出力部５２３に出力する。
【００２３】
操作制御信号群出力部５２３は、操作制御信号群呼び出し部５２１により呼び出された操作制御信号群を、ＵＳＢケーブル３を介して、外部機器であるコンピュータ２に出力する。具体的には、操作制御信号群出力部５２３は、呼び出された操作制御信号群の先頭データをＭＩＤＩコード化し、コンピュータ２に対して送信する。
このとき操作制御信号群出力部５２３は、テンポ情報取得部５２２により取得された再生中の楽曲データのテンポ情報と、操作制御信号群の時間情報の先頭データとによって、次回のＭＩＤＩコードを出力するまでの時間間隔を算出する。
【００２４】
［３］本実施の形態の作用および効果
次に、本発明の作用および効果を、図３に示すフローチャートに基づいて説明する。
操作制御信号群呼び出し部５２１は、デッキ４２Ｌ、４２Ｒのパフォーマンスパッド４２３が操作されたか否かを監視する（手順Ｓ１）。
操作者が、パフォーマンスパッド４２３を操作したら、操作制御信号群呼び出し部５２１は、処理を開始して、操作されたパフォーマンスパッド４２３のパッドに応じたＤＪパフォーマーの操作制御信号群を、操作制御信号群記憶部５１１から呼び出す（手順Ｓ２）。
【００２５】
テンポ情報取得部５２２は、コンピュータ２から入力される楽曲データのテンポ情報を取得する（手順Ｓ３）。
操作制御信号群出力部５２３は、呼び出された操作制御信号群の奏法データをＭＩＤＩコード化し、ＵＳＢケーブル３を介してコンピュータ２に出力する（手順Ｓ４）。
操作制御信号群出力部５２３は、取得されたテンポ情報と、操作制御信号を構成する時間情報の先頭データに基づいて、次回のＭＩＤＩコードを出力するまでの時間間隔を算出する（手順Ｓ５）。
【００２６】
操作制御信号群出力部５２３は、算出された次回ＭＩＤＩコード出力の時間間隔に応じて、次回のＭＩＤＩ化された奏法データを出力する（手順Ｓ６）。
次々回についても時間間隔を算出するとともに（手順Ｓ７）、その時間が経過したら、ＭＩＤＩ化された奏法データを出力する（手順Ｓ８）。以後、これらを繰り返す。
コンピュータ２では、再生中の楽曲データに対して、デッキ４２Ｌ、４２Ｒから出力された奏法データに基づいて、楽曲データの特殊再生、音響効果付与を行って、アナログ処理を行って音声出力する。
【００２７】
このような本実施の形態では、著名なＤＪパフォーマーの奏法データを、パフォーマンスパッド４２３で選択するだけで、ＤＪコントローラ４上で実現することができる。したがって、高度なＤＪパフォーマンスを再現できる。
テンポ情報取得部５２２を備えていることにより、再生中の楽曲データのＢＰＭ値等のテンポ情報に基づいて、操作者が選択した奏法データのテンポを同期させることができる。したがって、再生中の楽曲データに合わせた奏法データを演奏することができるため、違和感のない、高度なＤＪパフォーマンスを再現することができる。
【００２８】
［４］第２の実施の形態
次に、本発明の第２の実施の形態について説明する。なお、以下の説明では、既に説明した部分と同一の部分については、同一符号を付して説明を省略する。
前述した第１の実施の形態では、コンピュータ２で再生処理を行った楽曲データに対して、操作制御信号群記憶部５１１に記憶された操作制御信号群を、操作者の操作によるタイミングで操作制御信号群呼び出し部５２１が呼び出すようになっていた。
【００２９】
これに対して、本実施の形態では、図４に示すように、音響機器としてのＤＪプレーヤー４Ａが、再生処理部５０を備え、再生処理部５０により再生中の楽曲データに対して、操作制御信号群記憶部５１１に記憶された操作制御信号群を、操作者の操作によるタイミングで操作制御信号群呼び出し部５２１が呼び出している点が相違する。
ＤＪプレーヤー４Ａは、第１の実施の形態の図１と同様の外観構成を有し、デッキ部４２Ｒ、４２Ｌに相当する部分に再生処理部５０が設けられている。
【００３０】
再生処理部５０は、第１の実施の形態におけるデッキ部４２Ｌ、４２Ｒに相当する部分に設けられ、ＵＳＢメモリ、ＣＤ、ＤＶＤ等の光学ディスクに記憶された楽曲データの再生処理を行う。
操作制御信号群呼び出し部５２１は、操作者の操作によるタイミングで操作制御信号群を呼び出す。
操作制御信号群出力部５２３は、呼び出された操作制御信号群の先頭データをＭＩＤＩコード化して、再生処理部５０に出力する。
このような本実施の形態によっても、前述と同様の作用および効果を享受できる。
【００３１】
［５］実施の形態の変形
なお、本発明は、前述した実施の形態に限らず、以下に示すような変形をも含むものである。
前述の実施の形態では、楽曲データの再生は、コンピュータ２で行われていたが、本発明はこれに限られない。音響機器が、楽曲データが再生可能な再生処理または楽曲再生プログラムを備え、自己の再生楽曲データに、操作制御信号群を付与するようなものであってもよい。
その他、本発明の具体的な構造および形状等は、本発明の目的を達成できる範囲で他の構造等としてもよい。
【符号の説明】
【００３２】
１…楽曲データ再生制御システム、２…コンピュータ、３…ＵＳＢケーブル、４…ＤＪコントローラ、４Ａ…ＤＪプレーヤー、４１…ミキサー部、４１Ｅ…エフェクト部、４２Ｌ…デッキ部、４２Ｌ…デッキ、４２Ｒ…デッキ、４３…表示部、５０…再生処理部、５１…メモリ、５２…ＣＰＵ、４１１…第１チャンネル調整部、４１２…第２チャンネル調整部、４１３…第３チャンネル調整部、４１４…第４チャンネル調整部、４１５…マイク調整部、４１６…エフェクト選択スイッチ、４１７…チャンネル選択スイッチ、４１８…エフェクト量調整スイッチ、４１９…エフェクト付与スイッチ、４２０…ビート変更スイッチ、４２１…ジョグダイヤル、４２２…テンポスライダー、４２３…パフォーマンスパッド、４２４…ＣＵＥボタン、４２５…ポーズボタン、４２６…ループボタン、４２７…デッキセレクトボタン、４２８…ロードボタン、５１１…操作制御信号群記憶部、５２１…操作制御信号群呼び出し部、５２２…テンポ情報取得部、５２３…操作制御信号群出力部、Ｓ１…手順、Ｓ２…手順、Ｓ３…手順、Ｓ４…手順、Ｓ５…手順、Ｓ６…手順、Ｓ７…手順、Ｓ８…手順。
【図１】
2019167217.tif 000003
【図２】
2019167217.tif 000004
【図３】
2019167217.tif 000005
【図４】
2019167217.tif 000006
【国際調査報告】
2019167217.tif 000007
2019167217.tif 000008
2019167217.tif 000009
2019167217.tif 000010